【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
電極を有する第１基板と第２基板が間隙を設けて対向配置されこの間隙に液晶を枠状のシール部材で封止してなり前記第１基板には画像表示をするための電極とこの電極と接続され前記シール部材の１辺を横切るように配線される第１電極引出配線を有する液晶表示装置において、
前記第１電極引出配線が配線される前記シール部材の前記辺以外の他の前記シール部材の少なくとも１辺の近傍の前記第１基板には、前記第１電極引出配線のパターンと同様なパターンを有するダミー電極が配設されたことを特徴とする液晶表示装置。
【請求項２】
前記第１電極引出配線が配線される前記シール部材の前記辺と対向するシール部材の対向辺の近傍の前記第１基板には、前記第１電極引出配線パターンと同様なパターンを有するダミー電極が配設されたことを特徴とする請求項１に記載の液晶表示装置。
【請求項３】
前記第２基板には画像表示をするための電極とこの電極と接続され前記シール部材の１辺を横切るように配線される第２電極引出配線を有し、前記第２電極引出配線が配線される前記シール部材の前記辺と対向するシール部材の対向辺の近傍の前記第２基板には、前記第２電極引出配線パターンと同様なパターンを有するダミー電極が配設されたことを特徴とする請求項１または２に記載の液晶表示装置。
【請求項４】
前記電極により画像表示を行う表示領域は前記シール部材の開口部より小さい開口部を有し、前記ダミー電極が少なくとも前記表示領域の外側から前記シール部材の間に配設されることを特徴とする請求項１または２または３に記載の液晶表示装置。
【手続補正２】
【補正対象書類名】明細書
【補正対象項目名】０００７
【補正方法】変更
【補正の内容】
【０００７】
【課題を解決するための手段】
上記目的を達成するための本発明の第１の手段は、電極を有する第１基板と第２基板が間隙を設けて対向配置されこの間隙に液晶を枠状のシール部材で封止してなり前記第１基
板には画像表示をするための電極とこの電極と接続され前記シール部材の１辺を横切るように配線される第１電極引出配線を有する液晶表示装置において、前記第１電極引出配線が配線される前記シール部材の前記辺以外の他の前記シール部材の少なくとも１辺の近傍の前記第１基板には、前記第１電極引出配線のパターンと同様なパターンを有するダミー電極が配設されたことを特徴とする。
【手続補正３】
【補正対象書類名】明細書
【補正対象項目名】０００８
【補正方法】変更
【補正の内容】
【０００８】
本発明の第２の手段は、本発明の前記第１の手段において前記第１電極引出配線が配線される前記シール部材の前記辺と対向するシール部材の対向辺の近傍の前記第１基板には、前記第１電極引出配線パターンと同様なパターンを有するダミー電極が配設されたことを特徴とする。
【手続補正４】
【補正対象書類名】明細書
【補正対象項目名】０００９
【補正方法】変更
【補正の内容】
【０００９】
本発明の第３の手段は、本発明の第１または第２の手段において前記第２基板には画像表示をするための電極とこの電極と接続され前記シール部材の１辺を横切るように配線される第２電極引出配線を有し、前記第２電極引出配線が配線される前記シール部材の前記辺と対向するシール部材の対向辺の近傍の前記第２基板には、前記第２電極引出配線パターンと同様なパターンを有するダミー電極が配設されたことを特徴とする。
【手続補正５】
【補正対象書類名】明細書
【補正対象項目名】００１０
【補正方法】変更
【補正の内容】
【００１０】
本発明の第４の手段は、本発明の第１または第２または第３の手段において、前記電極により画像表示を行う表示領域は前記シール部材の開口部より小さい開口部を有し、前記ダミー電極が少なくとも前記表示領域の外側から前記シール部材の間に配設されることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１４
【補正方法】変更
【補正の内容】
【００１４】
図４において、液晶表示装置３の構成の概要について説明する。液晶表示装置３は、透明な材質で方形に形成され背面に第１透明電極４ａ（図５参照）が形成された第１液晶基板４と、透明な材質で方形に形成され表面に第２透明電極５ａ（図６参照）が形成された第２液晶基板５とが、図４（ａ）、（ｂ）の如く方形リング状あるいは枠状に形成されたシール部材６を介して張り合わされ、第１液晶基板４と第２液晶基板５とシール部材６とで囲まれた液晶セル部７には液晶８が充填されている。シール部材６は、枠体２によって形成されている見切り線２ａに沿い、且つ大きい輪郭の開口部を有している。なお表示領域はシール部材６の該開口部より小さい開口部を有し見切り線２ａに沿っている。図５の実施例では表示領域の外縁と見切り線２ａを同じ位置としているが、見切り線２ａから見切り線２ａの外側でありシール部材６に至る領域をも表示領域としても良い。このような場合においても、シール部材６を透過する光ムラに対して本発明の効果が得られる。なお、本実施例においては透過型の液晶表示装置３の場合について説明しているので、前述のように第２液晶基板５が透明な材質で形成されているとして説明しているが、反射型の液晶表示装置の場合においては、第２液晶基板５は反射機能を有する部材が設けられている。あるいは、第２透明電極をアルミニュムＡｌ等からなる反射電極とする場合もあり、本願発明の効果は、いづれの方法を用いても得られる。図４の１０は、第１液晶基板４の端面より飛び出た第２液晶基板５の延出部の上に実装された第２集積回路である。該実装方法としては、半田バンプにより実装する方法や、異方性導電接着材を用いて実装する。本願発明の図には示していないが、本願発明においては、液晶基板の上に集積回路を直接実装する方法のほかに、ＴＡＢ，ＴＣＰなどのＦＰＣ（フレキシブル回路基板）に集積回路を実装して、そのＦＰＣを液晶基板に実装、あるいは接続してもより。当然、外部回路基板に集積回路を実装し、該外部回路基板と液晶基板をＦＰＣで接続しても良い。
【手続補正８】
【補正対象書類名】明細書
【補正対象項目名】００１５
【補正方法】変更
【補正の内容】
【００１５】
図５、および図７において、第１液晶基板４の構成について説明する。透明な材質で方形に形成された第１液晶基板４には、横方向に長く伸びた多数本の第１透明電極４ａが等間隔に並行して形成されている。第１透明電極４ａの左端は見切り線２ａとの交点の位置まで形成されて第１電極引出配線４ｂに接続される。シール部材の開口輪郭６ａが該接続部より外側に設けられ、さらに開口輪郭６ａより外側にシール部材６の外輪郭６ｂが設けられている。また、第１電極引出配線４ｂはシール部材の辺を横切り配線されて第１液晶基板４の左端に固着されている第１集積回路チップ９に接続されている。また、第１透明電極４ａの右端は見切り線２ａとの交点の位置まで形成されている。この第１透明電極４ａが形成されている範囲が横方向の表示領域となる。
【手続補正９】
【補正対象書類名】明細書
【補正対象項目名】００１６
【補正方法】変更
【補正の内容】
【００１６】
第１液晶基板４の左辺の見切り線２ａの外辺で第１電極引出配線４ｂが形成されていない部分のシール部材６の近傍に該引出配線のパターンを基調としたパターンよりなるダミー電極４ｃを第１透明電極４ａから独立して設てある。すなわち、第１液晶基板４の左辺の見切り線２ａの外辺で第１電極引出配線４ｂが形成されていない部分には、第１電極引
出配線４ｂと同様のパターンを有するダミー電極４ｃが形成されている。第１液晶基板４の右辺の見切り線２ａの外辺には、第１電極引出配線４ｂと同様のパターンを有するダミー電極４ｄが形成されている。第１液晶基板４の上辺の見切り線２ａの外辺には、後述する図６における上辺と同様のパターンを有するダミー電極４ｅが形成されている。第１液晶基板４の下辺の見切り線２ａの外辺には、後述する図６における下辺と同様のパターンを有するダミー電極４ｆが形成されている。ダミー電極４ｃ、４ｄ、４ｅ、および４ｆは、シール部材６および第１透明電極と第２透明電極とにより画像表示なされる表示領域の方向に向かって僅かに拡張したパターンを有する。
このように第１電極引出配線４ｂを有する液晶表示装置においては、前記第１電極引出配線４ｂが配線されるシール部材６の辺以外の他のシール部材６の少なくとも１辺の近傍の第１液晶基板４には、第１電極引出配線４ｂのパターンと同様なパターンを有するダミー電極が配設される。
【手続補正１０】
【補正対象書類名】明細書
【補正対象項目名】００１７
【補正方法】変更
【補正の内容】
【００１７】
図６、図８において、第２液晶基板５の構成について説明する。透明な材質で方形に形成された第２液晶基板５には、縦方向に長く伸びた多数本の第２透明電極５ａが等間隔に並行して形成されている。第２透明電極５ａの上端は見切り線２ａとの交点より僅かに越えた位置まで形成されて第２電極引出配線５ｂに接続され、第２電極引出配線５ｂはシール部材の辺を横切り配線されて第２液晶基板５の上端に固着されている第２集積回路チップ１０に接続されている。また、第２透明電極５ａの下端は見切り線２ａとの交点の位置まで形成されている。この第２透明電極５ａが形成されている範囲が縦方向の表示領域となる。面積としての表示領域は、前述した第１透明電極４ａによって形成されている横方向の表示領域と、第１透明電極４ａによって形成されている横方向の表示領域とによって構成されているものであり、見切り線２ａによって囲まれている範囲である。図６，図８においても、図５で説明したように、シール部材６は、開口輪郭６ａと外輪郭６ｂを示している。一般的に、実際の生産では、シール部材６は、一方の液晶基板に配設し、その上にシール部材の配設していない基板を重ねて圧着、熱圧着あるいは紫外線硬化させる。
【手続補正１１】
【補正対象書類名】明細書
【補正対象項目名】００２０
【補正方法】変更
【補正の内容】
【００２０】
一方、シール部材が正方形の枠形状をしているときには、ダミー電極と電極引出配線を同じパターンとすることは可能である。しかし、シール部材が長方形の枠形状をしているときには、電極引出配線が短編側にあるときに、ダミー電極を長辺側に配設することがあるが、長辺と短辺の寸法差があるためダミー電極と電極引出配線を同じパターンとすることはできない。このときには、電極引出配線と同じパターンを配設する領域を越える部分のダミー電極のパターンは、電極引出配線のパターンを基調としたパターンよりなるダミー電極を設けることが必要になる。さらに、シール部材が長方形の枠形状をしているときに、電極引出配線が長辺側にあるときに、ダミー電極を短辺側に配設することがあるが、ダミー電極と電極引出配線を同じパターンとすることはできない。このため、電極引出線のパターンの一部を適宜選択して、ダミー電極パターンとして利用するのがよい。このようにすることで、より見切り周辺の色ムラ、輝度ムラを抑えることができる。
このように本発明は、一方の面に複数本の第１電極を有する第１液晶基板と一方の面に複数本の第２電極を有する第２液晶基板とからなる２枚の液晶基板が液晶を封止するための間隙を設けて対向して配設され、前記間隙の周囲をシール部材で囲い、前記シール部材で囲まれた内部に前記液晶を封入し、前記シール部材の内側に表示領域を設けた構成を有し、さらに少なくとも一方の前記第１液晶基板は他方の前記第２液晶基板の端面より延出する延出部を有しており、前記第１液晶基板の前記延出部には前記表示領域の前記電極と導通し前記延出部に引き出される第１電極引出配線が配設された液晶表示装置において、前記第１液晶基板の前記第１電極引出配線を有さない少なくとも一つの辺の前記シール部材近傍に該引出配線のパターンを基調としたパターンよりなる第１のダミー電極を前記第１電極から独立して設けた構成を有する。さらに本発明は、前記第２液晶基板は、前記第１液晶基板の端面より延出する延出部を有しており、前記第２の液晶基板の前記延出部には前記表示領域の前記電極と導通し前記延出部に引き出される第２電極引出配線が設けられており、前記第２電極引出配線が配設されていない辺であり、且つ前記第１液晶基板の前記第１引出配線及び前記第１のダミー電極が設けられていない辺と対向する前記第２液晶基板の少なくとも一つの辺の前記シール部材近傍には、前記第２電極引出配線のパターンを基調としたパターンよりなる第２のダミー電極が前記第２電極から独立して設けられた構成を有する。さらに本発明は、少なくとも一方の前記ダミー電極は、前記シール部材の外から前記表示領域の方に向かって広がるように配設されたパターンを有する構成をなす。さらに本発明は、前記第１液晶基板には、前記第１電極引出配線が形成されている辺の対辺に前記第１のダミー電極を形成し、前記第２液晶基板には、前記第２電極引出配線が形成されている辺の対辺に前記第２のダミー電極を形成した構成を有する。さらに本発明は、前記第１液晶基板には、前記第１電極引出配線が形成されている辺と直交する辺に前記第２のダミー電極を形成し、前記第２液晶基板には、前記第２電極引出配線が形成されている辺と直交する辺に第１のダミー電極を形成した構成を有する。